(57)【要約】【課題】親機・子機間の無線電波の伝播条件が向上した場合に無線電波による通信が行われる、通信成功率が向上された使用量測定システムを提供する。【解決手段】開閉センサ１０６、１０７、１０８により家屋の窓や扉の開状態が検出された場合に、子機１０３、１０４、１０６と親機１０２間の無線電波による通信を行うようにした。【選択図】  図１
2010204967.tif 000002
【特許請求の範囲】
【請求項１】
無線電波による信号の伝播路に配置された建具の開閉を検出する建具開閉検出手段と、
前記建具開閉検出手段により建具が開状態であると判断された場合に、無線電波にて使用
量に関するデータを送信する送信手段と
を具備した子機と、
前記子機の送信手段から無線電波にて送信された前記使用量に関するデータを受信する親
機と、
を有することを特徴とする使用量測定システム。
【請求項２】
親機から送出された無線電波によるポーリング信号を受信しない時間を計時する計時手段
と、
前記計時手段により計時された時間が予め設定された一定時間以上であった場合に、無線
電波による信号の伝播路に配置された建具の開閉を検出する建具開閉検出手段と、
前記建具開閉検出手段により建具が開状態であると判断された場合に、無線電波にて使用
量に関するデータを送信する送信手段と
を具備した子機と、
前記子機の送信手段から無線電波にて送信された前記使用量に関するデータを受信する親
機と、
を有することを特徴とする使用量測定システム。
【請求項３】
無線電波の送信失敗回数を計数する計数手段と、
前記計数手段により計数された送信失敗回数が予め設定された一定回数以上であった場合
に、無線電波による信号の伝播路に配置された建具の開閉を検出する建具開閉検出手段と
、
前記建具開閉検出手段により建具が開状態であると判断された場合に、無線電波にて使用
量に関するデータを送信する送信手段と
を具備した子機と、
前記子機の送信手段から無線電波にて送信された前記使用量に関するデータを受信する親
機と、
を有することを特徴とする使用量測定システム。
【請求項４】
無線電波による信号の伝播路に配置された建具の開閉を検出する建具開閉検出手段と、
前記建具開閉検出手段により建具が開状態であると判断された場合に、無線電波にてポー
リング信号を送信する送信手段と
を具備した親機と、
前記親機の送信手段から無線電波にて送信されたポーリング信号に呼応して使用量に関す
るデータを送信する子機と、
を有することを特徴とする使用量測定システム。
【発明の詳細な説明】
【技術分野】
【０００１】
本発明は被測定系の電力、ガス、水道等の使用量を測定する使用量測定システムに関す
る。
【背景技術】
【０００２】
従来より、一般家庭や工場、事業所の電力、ガス、水道等の使用量を測定する使用量測
定システムが普及してきている。当該使用量測定システムは被測定系の使用量を測定する
メータと、当該メータで検出された使用量データを特定小電力無線等にて通信する無線子
機と、無線子機から特定小電力無線等にて送信された使用量データを受信する無線親機と
を具備している。（例えば特許文献１）
【先行技術文献】
【特許文献】
【０００３】
【特許文献１】特開平６−２９１８６７公報（第７頁、図１）
【発明の概要】
【発明が解決しようとする課題】
【０００４】
近年、電気、ガス、水道の無線検針が行われるようになってきた。当該使用量測定システ
ムは被測定系の使用量を測定するメータと、当該メータで検出された使用量データを特定
小電力無線等にて通信する無線子機と、当該無線子機から特定小電力無線等にて送信され
た使用量データを受信する無線親機とを具備している。当該無線親機は、上位伝送系であ
る端末側網制御装置、電話回線、センタ装置側網制御装置を介してセンタ装置に接続され
ている。当該使用量測定システムにおいて、メータにて作成された使用量データはセンタ
装置からセンタ装置側網制御装置、電話回線、端末側網制御装置を介して送信される要求
電文に呼応するいわゆるポーリングにより伝送される場合と、端末側網制御装置側から、
電話回線、センタ装置側網制御装置を介してセンタ装置に電文を送信する端末発呼の２種
類の通信方式によることが一般的である。
【０００５】
しかし、当該使用量測定システムの親機・子機間で使用される電波の出力は微弱であり
親機・子機間のデータ伝送が失敗する場合も多かった。従来の使用量測定システムではデ
ータ伝送失敗時に、伝送が成功するまで数回にわたりリトライ伝送を行う方式が採用され
ていたが、親機・子機間の電波の伝播条件が変わらない中で、数次にわたりリトライ伝送
を行っても依然伝送できない場合が多いという問題点があった。
【０００６】
本発明は前記問題点に鑑み、親機・子機間の無線電波の伝播条件が向上した場合に無線
電波による通信が行われる、通信成功率が向上された使用量測定システムを提供すること
を目的とする。
【課題を解決するための手段】
【０００７】
上記目的を達成するために、本発明による使用量測定システムは、無線電波による信号の
伝播路に配置された建具の開閉を検出する建具開閉検出手段と、前記建具開閉検出手段に
より建具が開状態であると判断された場合に、無線電波にて使用量に関するデータを送信
する送信手段とを具備した子機と、前記子機の送信手段から無線電波にて送信された前記
使用量に関するデータを受信する親機とを有することを特徴とする。
【発明の効果】
【０００８】
本発明によれば、親機・子機間の無線電波の伝播条件が向上した場合に無線電波による
通信が行われる、通信成功率が向上された使用量測定システムを提供することができる。
【図面の簡単な説明】
【０００９】
【図１】本発明にかかる無線検針システムの構成を示す図
【図２】本発明にかかる無線検針システムの親機の内部構成を示す図
【図３】本発明にかかる無線検針システムの子機の内部構成を示す図
【図４】本発明にかかる無線検針システムの計量器の内部構成を示す図
【図５】本発明にかかる無線検針システムの子機のプログラムを示す図
【発明を実施するための形態】
【００１０】
以下、本発明の実施例を説明する。
【００１１】
［実施例１］
本発明による使用量測定システムの実施例１について図１を参照して説明する。
【００１２】
本使用量測定システムは一例として上位伝送系１０１、親機１０２、子機１０３、１０
４、１０５、開閉センサ１０６、１０７、１０８、計量器１０９、１１０、１１１からな
るものとする。
【００１３】
１０１は上位伝送系で、電話回線を利用した自動検針システムの場合、コンピュータ等か
らなるセンタ装置、センタ装置側網制御装置、電話回線、端末側網制御装置等から構成さ
れている。また、検針員等が個別検針を行う無線検針システムの場合、市販のハンディタ
ーミナル、ポケットコンピュータ、パーソナルコンピュータ等により構成されている。
【００１４】
１０２は親機で後述する各部により構成されており、上位伝送系１０１から送信された
各種コマンド等の電文を子機１０３、１０４、１０５に対し無線電波にて送信し、計量器
１０９、１１０、１１１にかかる使用量データ等の電文を子機１０３、１０４、１０５を
介し無線電波により受信し、さらに、同電文を上位伝送系１０１に対し送信する。
【００１５】
親機１０２の内部構成を図２に示す。
【００１６】
２０１は通信部でＲＳ２３２Ｃ等の有線通信を行う通信回路により構成されており、後述
する制御部２０６に制御され、上位伝送系１０１と通信を行う。
【００１７】
２０２は表示部で発光ダイオード等により構成されており、親機１０２と上位伝送系１０
１間の通信状態、親機１０２と子機１０３、１０４、１０５間の通信状態等を表示する。
【００１８】
２０３は無線通信部で特定小電力無線等の無線電波送受信回路により構成されており、後
述する制御部２０６に制御され、子機１０３、１０４、１０５との間で無線電波による通
信を行う。
【００１９】
２０４は記憶部でＲＡＭのような半導体メモリにより構成されており、後述する制御部２
０６により制御され、子機１０３、１０４、１０５を介して無線通信部２０３により受信
された計量器１０９、１１０、１１１にかかる使用量データを記憶する。
【００２０】
２０５は電源部で、リチウム電池等を有する電源回路により構成されており、親機１０２
内の各部に電源電圧を供給する。
【００２１】
２０６は制御部で、マイクロコンピュータ等により構成されており、通信部２０１の通信
動作、表示部２０２の表示動作、無線通信部２０３の通信動作、記憶部２０４の記憶動作
の制御を行う。
【００２２】
上位伝送系１０１からのポーリングによる通信の場合、制御部２０６は、上位伝送系１０
１から送信された各種コマンド等の通信電文を通信部２０１にて受信し、無線通信部２０
３から無線電波にて子機１０３、１０４、１０５に対し送信する。また、計量器１０９、
１１０、１１１にかかる、子機１０３、１０４、１０５から無線電波にて送信された使用
量データ等の通信電文を無線通信部２０３にて受信し、通信部２０１から上位伝送系１０
１に対して送信する。
【００２３】
一方、計量器１０９、１１０、１１１の端末発呼による通信の場合、制御部２０６は、計
量器１０９、１１０、１１１にかかる、子機１０３、１０４、１０５からの送信された無
線電波にて送信された使用量データ等の通信電文を無線通信部２０３にて受信し、通信部
２０１から上位伝送系１０１に対して送信する。
【００２４】
制御部２０６は、子機１０３、１０４、１０５から送信された電力、ガス、水道等の使用
量に関する使用量データを受信し、当該使用量データを記憶部２０４に記憶させる。
【００２５】
１０３、１０４、１０５は子機で後述する各部により構成されており、上位伝送系１０
１からのポーリングによる通信の場合、親機１０２を介し、無線電波にて送信された各種
コマンド等の電文をそれぞれ計量器１０９、１１０、１１１に対し送信し、使用量データ
等の通信電文を計量器１０９、１１０、１１１から受信し、さらに、同電文を親機１０２
に対し無線電波にて送信する。また、子機１０３、１０４、１０５は、端末発呼による通
信の場合、使用量データ等の通信電文を計量器１０９、１１０、１１１から受信し、同電
文を親機１０２に対し無線電波にて送信する。子機１０３の内部構成を図３に示す。なお
子機１０４、１０５も同様の内部構成となっている。
【００２６】
３０１は無線通信部で特定小電力無線等の無線電波送受信回路により構成されており、後
述する制御部３０８に制御され、親機１０２との間で無線電波による通信を行う。
【００２７】
３０２は開閉検出部で、後述する開閉センサ１０６からの信号を受信し、家屋の窓や扉の
開閉を検出する。
【００２８】
３０３は第一のタイマで水晶発振器によるカウンタ回路等により構成されており、ポーリ
ングによる通信が行われていない時間Ｔを計時する。
【００２９】
３０４は表示部で発光ダイオード等により構成されており、子機１０３と親機１０２間の
通信状態、子機１０３と計量器１０９間の通信状態等を表示する。
【００３０】
３０５は有線通信部でカレントループ等のインタフェース回路等により構成されており、
後述する制御部３０８に制御され、計量器１０９との間で通信を行う。
【００３１】
３０６は記憶部でＲＡＭのような半導体メモリにより構成されており、後述する制御部３
０８により制御され、計量器１０９から送信された使用量データ等を記憶する。
【００３２】
３０７は電源部で、リチウム電池等を有する電源回路により構成されており、子機１０３
内の各部に電源電圧を供給する。
【００３３】
３０８は制御部で、マイクロコンピュータ等により構成されており、無線通信部３０１の
通信動作、表示部３０４の表示動作、有線通信部３０５の通信動作、記憶部３０６の記憶
動作等の制御を行う。
【００３４】
上位伝送系１０１からのポーリングによる通信の場合、制御部３０８は、親機１０２から
送信された各種コマンド等の通信電文を無線通信部３０１にて受信し、有線通信部３０５
から計量器１０９に対し送信する。また、計量器１０９から送信された使用量データ等の
通信電文を有線通信部３０５にて受信し、無線通信部３０１から親機１０２に対して送信
する。
【００３５】
一方、一定時間親機１０２からのポーリングによる通信がなかった場合、または一定時間
親機１０２からのポーリングによる通信がなく、かつ開閉検出部３０２が窓や扉等の建具
の開状態を検出した場合、制御部３０８は端末発呼による通信を行うため、計量器１０９
に対しデータを要求する電文を送信する。その後制御部３０８は、計量器１０９から送信
された使用量データ等の通信電文を有線通信部３０５にて受信し、無線通信部３０１から
親機１０２に対して送信する。
【００３６】
制御部３０８は、計量器１０９から送信された電力、ガス、水道等の使用量に関する使用
量データを受信し、当該使用量データを記憶部３０６に記憶させる。
【００３７】
１０６、１０７、１０８は開閉センサで、赤外線センサや接点式の開閉センサにより構成
されており、各子機１０３、１０４、１０５と親機１０２との電波の伝播路である家屋の
窓や扉等の建具に設置され、当該窓や扉等の建具の開閉状態をそれぞれ子機１０３、１０
４、１０５に対し報知する。
【００３８】
１０９、１１０、１１１は計量器で後述する各部により構成されており、需要家の電気
、ガス、水道等の使用量を測定し使用量データとして、それぞれ子機１０３、１０４、１
０５、に対し送信する。計量器１０９の内部構成を図４に示す。なお計量器１１０、１１
１も同様の内部構成となっている。
【００３９】
４０１は有線通信部でカレントループ等のインタフェース回路等により構成されており、
後述する制御部４０６に制御され、子機１０３との間で通信を行う。
【００４０】
４０２は表示部で液晶表示装置等により構成されており、需要家にて使用された電気、ガ
ス、水道等の使用量にかかる使用量データを表示する。
【００４１】
４０３は検出部で、需要家の電気使用量を測定する電力使用量測定装置、需要家のガス使
用量を測定するガス使用量測定装置、需要家の水道使用量を測定する水道使用量測定装置
等により構成されており、後述する制御部４０６に対し需要家にて使用された電気、ガス
、水道等の使用量にかかるデータを出力する。
【００４２】
４０４は記憶部でＲＡＭのような半導体メモリにより構成されており、後述する制御部４
０６により制御され、需要家にて使用された電気、ガス、水道等の使用量データを記憶す
る。
【００４３】
４０５は電源部で、リチウム電池等を有する電源回路により構成されており、計量器１０
７内の各部に電源電圧を供給する。
【００４４】
４０６は制御部で、マイクロコンピュータ等により構成されており、有線通信部４０１の
通信動作、表示部４０２の表示動作、記憶部４０４の記憶動作の制御を行う。
【００４５】
制御部４０６は検出部４０３で検出された電力、ガス、水道等の使用量にかかるデータを
使用量データに編集し、当該使用量データを記憶部４０４に記憶させ、表示部４０２に表
示させる。
【００４６】
上位伝送系１０１からのポーリングによる通信の場合、制御部４０６は、子機１０３から
送信された各種コマンド等の通信電文を有線通信部４０１にて受信し、使用量データ等の
通信電文を子機１０３に対して送信する。
【００４７】
一方、端末発呼による通信の場合、制御部３１０は、子機１０３からの電文の要求に応じ
使用量データ等の通信電文を有線通信部４０１から子機１０３に対して送信する。
【００４８】
次に、本実施例の動作を図５に示す子機１０３のプログラムフロー図を参照しつつ説明す
る。本プログラムは子機１０３の制御部３０８内の図示しないプログラムメモリ内に記憶
され、制御部３０８の動作を制御している。当該プログラムは例えば１秒等の一定インタ
ーバルにて起動されるものとする。なお、以下には、子機１０３の通信動作の部分につい
てのみ示すこととする。
【００４９】
子機の制御部３０８は、親機１０２からのポーリングによる信号を受信したかの判断を行
う(ステップ５０１)。親機１０２からのポーリングによる信号を受信したと判断された場
合、制御部３０８は有線通信部３０５を介し、計量器１０９に対しデータを要求する電文
を送信し、計量器１０９から送信された使用量データ等の通信電文を受信し、無線通信部
３０１から親機１０２に対して送信する（ステップ５０２）。
【００５０】
一方ステップ５０１で、親機１０２からのポーリングによる信号を受信していないと判断
された場合、制御部３０８は、タイマ３０３にて計時されたポーリングによる通信を行っ
ていない時間Ｔが、予め設定された一定時間Ｔ１以上かの判断を行い（ステップ５０３）
ポーリングによる通信を行っていない時間Ｔが設定された一定時間Ｔ１以上であると判断
された場合であり、かつ端末発呼による通信の失敗回数Ｎが予め設定された回数Ｎ１未満
であると判断された場合（ステップ５０４）、有線通信部３０５を介し、計量器１０９に
対しデータを要求する電文を送信し、その後計量器１０９から送信された使用量データ等
の通信電文を受信し、無線通信部３０１から親機１０２に対して端末発呼による通信にて
当該使用量データ等を送信する（ステップ５０６）。また、端末発呼による通信の失敗回
数Ｎを計数する（ステップ５０７）。なおここで、予め設定された一定時間Ｔ１とは、例
えば２４時間のような値が選択され、予め設定された回数Ｎ１とは、例えば１０回のよう
な値が選択される。
【００５１】
一方ステップ５０４で、端末発呼による通信の失敗回数Ｎが予め設定された回数Ｎ１以上
であると判断された場合は、電波の透過が悪いことが想定されるため、電波の通路となる
窓や扉等の建具が開かれたときに端末発呼通信を行うようにする。つまり、端末発呼によ
る通信の失敗回数Ｎが予め設定された回数Ｎ１以上であると判断された場合（ステップ５
０４）は、子機１０３の開閉検出部３０２が開閉センサ１０６からの信号を受信し、家屋
の窓や扉等の建具が開かれたかの判断を行い（ステップ５０５）家屋の窓や扉等の建具が
開かれたと判断された場合は、有線通信部３０５を介し、計量器１０９に対しデータを要
求する電文を送信し、その後、計量器１０９から送信された使用量データ等の通信電文を
受信し、無線通信部３０１から親機１０２に対して端末発呼による通信にて当該使用量デ
ータ等を送信する（ステップ５０６）。その後、端末発呼による通信の失敗回数Ｎを計数
し（ステップ５０７）一連の通信動作を終了する。
【００５２】
本実施例では、子機内部に開閉検出部を設け、各子機に対応する開閉センサを設けるよ
うにしたが、親機内部に開閉検出部を、親機側に開閉センサを設けるようにし、親機が開
窓や扉等の建具の開状態を検出した場合にポーリングによる伝送を各子機に対して行い、
子機は当該ポーリング信号に呼応して使用量データ等の通信電文を送信するようにしても
いよい。
【００５３】
本実施例を用いれば、電波の伝播路において遮蔽物となる家屋の窓や扉等の建具が開いて
いる状態が検出され、無線電波が伝播しやすい状態のときに、親機・子機間の無線電波に
よる通信が行われるため、通信エラーの発生を低減させることができる。
【００５４】
以上のように本発明を用いれば、親機・子機間の無線電波の伝播条件が向上した場合に無
線電波による通信が行われる、通信成功率が向上された使用量測定システムを提供するこ
とができる。
【符号の説明】
【００５５】
１０１    上位伝送系
１０２    親機
１０３、１０４、１０５    子機
１０６、１０７、１０８    開閉センサ
１０９、１１０、１１１    計量器
２０１    通信部
２０２    表示部
２０３    無線通信部
２０４    記憶部
２０５    電源
２０６    制御部
３０１    無線通信部
３０２    開閉検出部
３０３    タイマ
３０４    表示部
３０５    有線通信部
３０６    記憶部
３０７    電源
３０８    制御部
４０１    有線通信部
４０２    表示部
４０３    検出部
４０４    記憶部
４０５    電源
４０６    制御部
【図１】
2010204967.tif 000003
【図２】
2010204967.tif 000004
【図３】
2010204967.tif 000005
【図４】
2010204967.tif 000006
【図５】
2010204967.tif 000007